(57)【要約】【課題】流路の内壁に発生する生物膜を防止する洗浄装置を提供する。【解決手段】粒状体が収納された容器と、この容器内に洗浄すべき部分が露出された被洗浄部材と、前記容器内に液体を注入する流路からなり、この流路から注入される液体によって前記粒状体を撹拌し前記露出された洗浄部材の洗浄を行う洗浄装置において、前記流路に前記液体に含まれる微生物を殺傷する微生物殺傷部材を設けた。【選択図】      図１
2004223466.tif 000002
【特許請求の範囲】
【請求項１】
粒状体が収納された容器と、この容器内に洗浄すべき部分が露出された被洗浄部材と、前記容器内に液体を注入する流路からなり、この流路から注入される液体によって前記粒状体を撹拌し前記露出された洗浄部材の洗浄を行う洗浄装置において、前記流路に前記液体に含まれる微生物を殺傷する微生物殺傷部材を設けたことを特徴とする洗浄装置。
【請求項２】
前記被洗浄部材は電極であることを特徴とする請求項１記載の洗浄装置。
【請求項３】
前記電極は残留塩素計の検出電極であることを特徴とする請求項２記載の洗浄装置。
【請求項４】
前記微生物殺傷部材は銅もしくは銅合金であることを特徴とする請求項１記載の洗浄装置。
【請求項５】
前記粒状体の材質はセラミックやガラスを含むことを特徴とする請求項１記載の洗浄装置。
【発明の詳細な説明】
【０００１】
【発明の属する技術分野】
本発明は、洗浄装置に関し、詳しくは例えば残量塩素計における電極の洗浄に関するものである。
【０００２】
【従来の技術】
例えば残留塩素計の電極洗浄装置として、図３に示したような駆動装置を用いたものがある。
【０００３】
図３において、残留塩素計１は下部に被検査液Ｓの導入口２が形成され上部に排出口３を形成した密閉容器４を有しており、検出電極５を底部に配設するとともに、対極６を容器４内の上部に側面より挿入した状態で配設している。密閉容器４の外部には、検出電極５と対極６との間に電圧を印加する電源７、および電流の大きさを計測する電流計８が設けられている。
【０００４】
このような構成の残留塩素計において、モータ１０により撹拌翼１２を回転させて、被検査液Ｓとともにガラスビーズ１３を撹拌し検出電極５の表面を摩擦洗浄させながら、対極６と検出電極５間における電流の流れ度合いを検出して残留塩素の成分を測定する。
【０００５】
しかしながら、上述の残留塩素計では回転機構部分を持つため、モータシャフト、伝達ベルト、ギヤ、軸受け等の機構部分を多く有し、高価となる。また、製品の性質上連続運転がなされるため、モータ等の機構部分の寿命がトラブルの原因となる。
【０００６】
【特許文献１】
特開平９−２８８０８３号公報
【０００７】
図４は回転部分を持たない構成の従来例を示す要部構成図である。
図において２０はフローセル型検出器であり、容器２１の底面に検出電極２２の電極部が露出した状態で気密に固定されている。この容器２１には底部に流路２３及び噴出ノズル（絞り）２４を介して試料水２５が流入する流入孔２６が設けられ、上方には流出孔２７が設けられている。２８は容器に収納された洗浄電極用ビーズ（粒状体）である。なお、残留塩素計としては対極や電源部分を有するが本発明とは無関係なので省略する。
【０００８】
２９は容器２１の上流に設けられた所定の高さを有するヘッドタンクであり、底部が流路２３に接続され、上方にオーバフロー孔３０が設けられている。
上述の構成において、流路に流れる試料水は噴出ノズル２４で絞られて、ヘッドタンクのオーバフロー孔３０と容器２１のヘッド差により流速を制御されて一定の流速で容器２１内に流入する。
【０００９】
その結果ビーズ２８が撹拌されて露出した電極の表面に当り、擦ることにより電極表面の洗浄が行われる。この場合、ビーズ２８は撹拌されるが自重により容器２１から流れ出ることはない。
【００１０】
【発明が解決しようとする課題】
ところで、このような洗浄装置においては試料水に含まれる微生物によって流路の内壁に生物膜が発生する。この生物膜が噴出ノズル２４内に付着するとノズルの抵抗が増加して流速が減少する。即ち噴流のエネルギーが減少するので、ビーズ２８の旋回速度が小さくなり、電極表面の試料水の流速も小さくなる。
【００１１】
この結果、残留塩素検出の電流値が減少し、指示値が低下する。（感度劣化）
また、生物膜が電極表面に付着した場合にも、感度劣化を生じる。
という問題があった。
【００１２】
【課題を解決するための手段】
本発明は上記課題を解決するためになされたもので、請求項１においては、
粒状体が収納された容器と、この容器内に洗浄すべき部分が露出された被洗浄部材と、前記容器内に液体を注入する流路からなり、この流路から注入される液体によって前記粒状体を撹拌し前記露出された洗浄部材の洗浄を行う洗浄装置において、前記流路に前記液体に含まれる微生物を殺傷する微生物殺傷部材を設けたことを特徴とする。
【００１３】
請求項２においては、請求項１記載の洗浄装置において、
前記被洗浄部材は電極であることを特徴とする。
【００１４】
請求項３においては、請求項２記載の洗浄装置において、
前記電極は残留塩素計の検出電極であることを特徴とする。
【００１５】
請求項４においては、請求項１記載の洗浄装置において、
前記微生物殺傷部材は銅もしくは銅合金であることを特徴とする。
【００１６】
請求項５においては、請求項１記載の洗浄装置において、
前記粒状体の材質はセラミックやガラスを含むことを特徴とする。
【００１７】
【発明の実施の形態】
図１は本発明の実施形態の一例を示す構成図である。図１において、図３と同一部品には同一符号を付して説明は省略する。
【００１８】
この実施例では噴出ノズルの２４の前段の流路中に銅管３０を設け、試料水２５がこの銅管３０を通って噴出ノズル２４から容器１内に噴出するように構成されている。
【００１９】
上記の構成によれば銅管３０から銅イオン（Ｃｕ２＋）が水中に溶け出す。このＣｕ２＋は微生物に対して毒素として働き生物膜の発生を防止する。
【００２０】
図２は他の実施例を示す構成図であり、固形物汚れを除去する目的として管路に挿入するストレーナの網（メッシュ）を銅製としたものである。
【００２１】
本発明の以上の説明は、説明および例示を目的として特定の好適な実施例を示したに過ぎない。したがって本発明はその本質から逸脱せずに多くの変更、変形をなし得ることは当業者に明らかである。例えば本実施例では洗浄装置を残留塩素計に適用した場合について説明したが、同様の洗浄装置を用いる他の装置に適用してもよい。
特許請求の範囲の欄の記載により定義される本発明の範囲は、その範囲内の変更、変形を包含するものとする。
【００２２】
【発明の効果】
以上説明したように、本発明に係る洗浄装置は、粒状体が収納された容器と、この容器内に洗浄すべき部分が露出された被洗浄部材と、前記容器内に液体を注入する流路からなり、この流路から注入される液体によって前記粒状体を撹拌し前記露出された洗浄部材の洗浄を行う洗浄装置において、前記流路に前記液体に含まれる微生物を殺傷する微生物殺傷部材を設けたので、
液体（試料水）に含まれる微生物によって流路の内壁に発生する生物膜を防止することができる。従ってノズルの抵抗が増加して流速が減少することがなく、噴流エネルギーの減少がない。その結果、残留塩素検出に用いた場合には電流値が減少し、指示値が低下することがない。
という効果がある。
【図面の簡単な説明】
【図１】本発明に係る洗浄装置の要部を示した構成図である。
【図２】本発明に係る洗浄装置の他の実施例を示した構成図である。
【図３】従来技術における洗浄装置を示す構成図である。
【図４】他の従来例を示す構成図である。
【符号の説明】
２０      フローセル型検出器
２１      容器
２２      検出電極
２３      流路
２４      噴出ノズル
２５      試料水
２６      流入孔
２７      流出口
２８      粒状体
２９      作用極支持部
３０      オーバフロー孔
３１      微生物殺傷部材
【図１】
2004223466.tif 000003
【図２】
2004223466.tif 000004
【図３】
2004223466.tif 000005
【図４】
2004223466.tif 000006